(57)【特許請求の範囲】
【請求項１】
内視鏡の先端部に照明光の出射端面が配置された複数個のライトガイドと、
前記各出射端面の近傍に配置された撮像素子と、
前記各ライトガイドの入射端面に照明光を供給する光源と、
前記撮像素子によって得られた輝度信号に基づいて、前記撮像素子の撮像領域のうち、最も高い輝度を検出した領域たる第１の領域と最も低い輝度を検出した領域たる第２の領域とを特定する輝度検出部と、
前記光源から前記第１の領域の受光量に最も大きい影響を与えるライトガイドの入射端面に入射されるべき照明光を、前記第２の領域の受光量に最も大きい影響を与えるライトガイドの入射端面に入射させることにより、前記第１の領域の受光量に最も影響を与えるライトガイドの入射端面に入射される照明光の光量を減少させるとともに、前記第２の領域の受光量に最も大きい影響を与えるライトガイドの入射端面に入射される照明光の光量を増加させる光量配分調整部と
を備えたことを特徴とする電子内視鏡装置。
【請求項２】
前記光量配分調整部が、
前記光源から前記各ライトガイドの入射端面までの光路中に進退自在に配置され、前記光路中に進入した際には、前記光源からの光束が通過する領域のうちこの光束の端部を含み且つ前記第１の領域の受光量に最も大きい影響を与えるライトガイドの入射端面に入射されるべき領域の一部を通過する光を反射する第１反射部材と、
前記第１反射部材の進入方向における前記光束の外側に配置され、前記第１反射部材によって反射された反射光を、前記第２の領域の受光量に最も大きい影響を与えるライトガイドの入射端面へ向けて反射する第２反射部材と
を有することを特徴とする請求項１記載の電子内視鏡装置。
【請求項３】
前記光源が、平行光の光束を各ライトガイドの入射端面に向けて出射し、
前記第１反射部材が前記光路中に進入した場合に、前記第１反射部材の反射平面が前記平行光の進行方向に対向して略４５度の角度で配置され、且つ前記第２反射部材の反射平面が前記第１反射部材の反射平面と向かい合って平行に配置されている
ことを特徴とする請求項２記載の電子内視鏡装置。
【請求項４】
前記第１反射部材及び前記第２反射部材が２組設けられ、
各組における第２反射部材が共に前記光路外に配置され、
各組における第１反射部材が一体的に移動可能であり、
一方の組における第１反射部材が前記光路中に進入した場合には、他方の組における第１反射部材が前記光路外へ退避していることを特徴とする請求項２記載の電子内視鏡装置。
【請求項５】
前記複数個のライトガイドは、各出射端面が前記撮像素子の撮影領域の中心線に対して線対称に配置された第１ライトガイド及び第２ライトガイドからなり、
前記輝度検出部が、前記撮像素子によって得られた輝度信号に基づいて、前記中心線を境とした第１ライトガイド側の撮像領域の輝度と第２ライトガイド側の輝度とを比較して前記第１の領域及び前記第２の領域を特定し、前記第１反射部材及び前記第２反射部材が、前記第１ライトガイド側の撮像領域が前記第１領域として特定された場合には、前記光源から前記第１ライトガイドの入射端面に入射させ、前記第２ライトガイド側の撮像領域が前記第１の領域として特定された場合には、前記光源から前記第２ライトガイドの入射端面へ向けて出射された照明光を前記第１ライトガイドの入射端面に入射させることを特徴とする請求項２記載の電子内視鏡装置。
【請求項６】
前記撮像素子が、固体撮像素子であり、
前記輝度検出部は、前記固体撮像素子から出力された輝度信号から前記各撮像領域の平均輝度を算出し、一方の平均輝度から他方の平均輝度を減算し、
前記第１反射部材及び前記第２反射部材は、前記輝度検出部による減算結果が負である場合に、前記光源から第１ライトガイドの入射端面へ向けて発せられた照明光を前記第２ライトガイドの入射端面に入射させ、前記輝度検出部による減算結果が正である場合に、前記光源から前記第２ライトガイドの入射端面に入射させることを特徴とする請求項５記載の電子内視鏡装置。
【請求項７】
撮像素子と複数個のライトガイドの出射端面とが先端面に設けられた電子内視鏡に照明光を供給する光源装置であって、
前記各ライトガイドの入射端面に照明光を供給する光源と、
前記撮像素子によって得られた輝度信号に基づいて、前記撮像素子の撮像領域のうち、最も高い輝度を検出した領域たる第１の領域と最も低い輝度を検出した領域たる第２の領域とを特定する輝度検出部と、
前記第１の領域の受光量に最も大きい影響を与えるライトガイドの入射端面に入射される照明光の光量を減少させるとともに、前記第２の領域の受光量に最も大きい影響を与えるライトガイドの入射端面に入射される照明光の光量を増加させる光量配分調整部とを備えたことを特徴とする電子内視鏡光源装置。
【発明の詳細な説明】
【０００１】
【発明の属する技術分野】
本発明は、先端部に撮像素子とライトガイドの出射端面とが設けられた電子内視鏡を備えた電子内視鏡装置及びこの電子内視鏡に照明光を供給する電子内視鏡用光源装置に関する。
【０００２】
【従来の技術】
従来、主として患者の体腔内，例えば消化管や血管内の様子を撮影する電子内視鏡装置の一つには、電子内視鏡の先端部に撮像素子とライトガイドの出射端面とを有し、単一の光源からライトガイドの入射端面に入射された照明光を出射端面から出射することによって撮影対象を照明し、その撮影対象を撮像素子によって撮影するものがある。
【０００３】
この種の電子内視鏡装置では、撮像素子には固体撮像素子(ＣＣＤ)が多く用いられ、その撮像面はライトガイドの出射端面とほぼ平行に配置され、これらは撮影対象とほぼ同じ角度で対向する。また、電子内視鏡装置には、複数のライトガイドの出射端面を撮像素子の周りに距離をおいて配置し、撮影対象の凹凸による影の影響を低減させたものもある。
【０００４】
ところで、近年におけるＣＣＤのパッケージ外形は小形化の傾向にあり、これに伴って電子内視鏡の先端部は細くなっている。このため、電子内視鏡装置を用いて診察される患者の負担が軽減されてきている。
【０００５】
【発明が解決しようとする課題】
しかしながら、上述した電子内視鏡装置には以下の問題があった。即ち、電子内視鏡装置によって消化管等の管内の様子を撮影する場合、撮像素子と近い位置関係にある物体(近接部：例えば管壁)からの光束と、撮像素子と遠い位置関係にある物体(遠景部：例えば管空)からの光束とが共に撮像素子に入射する。この場合、遠景部の照度が近接部の照度よりも低くなる。このため、遠景部に対する照度が不足し、遠景部の輝度情報の階調の変化が検知不可能となり、遠景部の画像が黒くつぶれることがあった。そこで、遠景部の照度を高めるべく、ライトガイドの入射端面に入射される光量を多くすると、近接部に照明光が強く当たるので、近接部の輝度情報がＣＣＤによって得られる画像の有効範囲(ダイナミックレンジ)を超えてしまい、近接部の画像にハレーションが生じることがあった。
【０００６】
上述した電子内視鏡装置では、ＣＣＤの小形化に伴って各画素の電荷蓄積素子の容量が小さくなり、ダイナミックレンジが小さくなっている。このことに鑑み、各画素の電荷量が容易にオーバーフローしないように照明光の光量を低下させる傾向にある。従って、遠景部が照度不足となって遠景部と近接部との間のコントラストが高くなり、観察しにくい画像となる場合が多くあった。
【０００７】
本発明は、上記問題に鑑みなされたものであり、撮像素子の撮像範囲に反射率の高い部分と反射率の低い部分とが同時に入る場合でも、画像にハレーションが生じることを防止でき、且つ全体的に安定したコントラストを有する画像を得ることができる電子内視鏡装置及び電子内視鏡用光源装置を提供することを課題とする。
【０００８】
【課題を解決するための手段】
本発明は、上述した課題を解決するために以下の構成を採用する。すなわち、請求項１の発明は、電子内視鏡装置であり、内視鏡の先端部に照明光の出射端面が配置された複数個のライトガイドと、前記各出射端面の近傍に配置された撮像素子と、前記各ライトガイドの入射端面に照明光を供給する光源と、前記撮像素子によって得られた輝度信号に基づいて、前記撮像素子の撮像領域のうち、最も高い輝度を検出した領域たる第１の領域と最も低い輝度を検出した領域たる第２の領域とを特定する輝度検出部と、前記第１の領域の受光量に最も大きい影響を与えるライトガイドの入射端面に入射される照明光の光量を減少させるとともに、前記第２の領域の受光量に最も大きい影響を与えるライトガイドの入射端面に入射される照明光の光量を増加させる光量配分調整部とを備える。
【０００９】
請求項１の発明によると、光量配分制御部が、第１の領域の受光量に最も大きい影響を与えるライトガイドへの光量を減少させ、第２の領域の受光量に最も大きい影響を与えるライトガイドへの光量を増加させる。これによって、第１の領域の受光量が減少するので、第１の領域によって撮影された画像のハレーションの発生防止及び発生したハレーションの除去を図ることができる。これと同時に、第２の領域の受光量が増加するので、第２の領域によって撮影される画像を明るくすることができ、第１の領域と第２の領域との間の受光量の差を縮める異ができる。このため、全体的に輝度が安定した画像を得ることができる。
請求項２の発明は、請求項１記載の光量配分調整部が、前記光源から前記第１の領域の受光量に最も大きい影響を与えるライトガイドの入射端面に入射されるべき照明光を、前記第２の領域の受光量に最も大きい影響を与えるライトガイドの入射端面に入射させることで特定したものである。
【００１０】
請求項２の発明によると、光源から出射される照明光の光量を一定とした状態で、各ライトガイドの入射端面に入射される照明光の配分を変更することができる。
【００１１】
請求項３の発明は、請求項２記載の光量配分調整部が、前記光源から前記各ライトガイドの入射端面までの光路中に進退自在に配置され、前記光路中に進入した際には、前記光源からの光束が通過する領域のうちこの光束の端部を含み且つ前記第１の領域の受光量に最も大きい影響を与えるライトガイドの入射端面に入射されるべき領域の一部を通過する光を反射する第１反射部材と、前記第１反射部材の進入方向における前記光束の外側に配置され、前記第１反射部材によって反射された反射光を、前記第２の領域の受光量に最も大きい影響を与えるライトガイドの入射端面へ向けて反射する第２反射部材とを有することで特定したものである。
【００１２】
請求項４の発明は、請求項３記載の光源が、平行光の光束を各ライトガイドの入射端面へ向けて出射し、前記第１反射部材が前記光路中に進入した場合に、前記第１反射部材の反射平面が前記平行光の進行方向に対向して略４５度の角度で配置され、且つ前記第２反射部材の反射平面が前記第１反射部材の反射平面と向かい合って平行に配置されていることで特定したものである。
【００１３】
請求項４の発明によると、第１反射部材及び第２反射部材による反射光は、反射されない光(直接光)と同方向に進行する平行光となる。このため、反射光の光路として必要な空間を小さくすることができる(無駄な空間が生じない)とともに、反射光を直接光と同様に該当するライトガイドの入射端面に入射させることができる。
【００１４】
請求項５の発明は、請求項３記載の第１反射部材及び第２反射部材が２組設けられ、各組における第２反射部材が共に前記光路外に配置され、各組における第１反射部材が一体的に移動可能であり、一方の組における第１反射部材が前記光路中に進入した場合には、他方の組における第１反射部材が前記光路外へ退避していることで特定したものである。
【００１５】
請求項５の発明によると、撮像素子の何れの側の領域に受光量の不均衡が生じても、何れか一方の組の第１反射部材及び第２反射部材によって、各ライトガイドの入射端面に入射される照明光の位置が切り替えられる。このため、各領域の受光量の不均衡が、照明光の損失なく迅速に解消される。
【００１６】
請求項６の発明は、請求項１記載の輝度検出部が、前記撮像素子によって得られた輝度信号を所定の複数個の領域に応じて分離し、分離した輝度信号を比較することによって前記第１の領域及び前記第２の領域を特定することで特定したものである。
【００１７】
請求項７の発明は、請求項３記載の複数個のライトガイドが、各出射端面が前記撮像素子の撮影領域の中心線に対して線対称に配置された第１ライトガイド及び第２ライトガイドからなり、前記輝度検出部が、前記撮像素子によって得られた輝度信号に基づいて、前記中心線を境とした第１ライトガイド側の撮像領域の輝度と第２ライトガイド側の輝度とを比較して前記第１の領域及び前記第２の領域を特定し、前記第１反射部材及び前記第２反射部材が、前記第１ライトガイド側の撮像領域が前記第１の領域として特定された場合に、前記光源から前記第１ライトガイドの入射端面へ向けて発せられた照明光を前記第２ライトガイドの入射端面に入射させ、前記第２ライトガイド側の撮像領域が前記第１の領域として特定された場合に、前記光源から前記第２ライトガイドの入射端面へ向けて発せられた照明光を前記第１ライトガイドの入射端面に入射させることで特定したものである。
【００１８】
請求項８の発明は、請求項７記載の撮像素子が固体撮像素子であり、前記輝度検出部が、前記固体撮像素子から出力された輝度信号から前記各撮像領域の平均輝度を検出し、一方の平均輝度から他方の平均輝度を減算し、前記第１反射部材及び前記第２反射部材が、前記輝度検出部による減算結果が負である場合に、前記光源から第１ライトガイドの入射端面へ向けて発せられた照明光を前記第２ライトガイドの入射端面に入射させ、前記輝度検出部による減算結果が正である場合に、前記光源から前記第２ライトガイドの入射端面へ向けて発せられた照明光を前記第１ライトガイドの入射端面に入射させることで特定したものである。
【００１９】
請求項９の発明は、請求項１記載の光源と各ライトガイドの入射端面との間に配置され、前記光量配分調整部によって前記第２の領域の受光量に最も大きい影響を与えるライトガイドの入射端面に入射される照明光の光量が増加した場合に、前記光源から前記各ライトガイドの入射端面に入射される照明光の光量を均等に増加させる光量調整部をさらに備えたことで特定したものである。
【００２０】
請求項１０の発明は、撮像素子と複数個のライトガイドの出射端面とが先端部に設けられた電子内視鏡に照明光を供給する電子内視鏡用光源装置であって、前記各ライトガイドの入射端面に照明光を供給する光源と、前記撮像素子によって得られた輝度信号に基づいて、前記撮像素子の撮像領域のうち、最も高い輝度を検出した領域たる第１の領域と最も低い輝度を検出した領域たる第２の領域とを特定する輝度検出部と、前記第１の領域の受光量に最も大きい影響を与えるライトガイドの入射端面に入射される照明光の光量を減少させるとともに、前記第２の領域の受光量に最も大きい影響を与えるライトガイドの入射端面に入射される照明光の光量を増加させる光量配分調整部とを備えたことを特徴とする。
【００２１】
【発明の実施の形態】
以下、図面に基づいて本発明の実施形態を説明する。
［実施形態１］
〔電子内視鏡装置の構成〕
図１は、本発明の実施形態１による電子内視鏡装置の構成図である。図１には、撮像素子(固体撮像素子)としてカラーＣＣＤ１０が用いられた電子内視鏡装置が示されている。図１において、電子内視鏡装置は、カラーＣＣＤ１０を備えた電子内視鏡１と、この電子内視鏡１に撮影対象の照明光を供給するとともに、カラーＣＣＤ１０によって撮影された撮影対象の映像信号を生成する内視鏡用の光源装置兼ビデオプロセッサ２とからなり、光源装置兼ビデオプロセッサ２には、撮影対象の映像を表示するテレビモニタ３が接続されている。
〈電子内視鏡〉
図１に示すように、電子内視鏡１は、先端が電子内視鏡１の先端部をなすコード状の挿入部４と、挿入部４の基端に連結された操作部５と、操作部５の外周面から延出するコード状のライトガイド連結管６とを有している。ライトガイド連結管６の末端にはコネクタ７が設けられており、コネクタ７によって電子内視鏡１と光源装置兼ビデオプロセッサ２とが着脱自在に接続される。
【００２２】
電子内視鏡１の内部には、挿入部４の先端からコネクタ７の末端までに亘って２つのライトガイドファイババンドル(以下、「ＬＣＢ」という)８,９が設けられている。各ＬＣＢ８,９の挿入部４側の端面は照明光の出射端面をなし、コネクタ７側の端面は照明光の入射端面をなす。
【００２３】
図２(ａ)は、図１に示した各ＬＣＢ８,９の入射端面を示す図である。図２(ａ)に示すように、各ＬＣＢ８,９の入射端面は、一つの円形状の端面を形成する半円状に形成されている。各ＬＣＢ８,９の入射端面は、図１に示すように、コネクタ７が光源装置兼ビデオプロセッサ２に接続された際に、光源装置兼ビデオプロセッサ２内に向けて配置される。
【００２４】
図２(ｂ)は、図１に示したＢ−Ｂ線に沿った挿入部４の切断面を示す図である。各ＬＣＢ８,９は、電子内視鏡１内部で分かれており、各ＬＣＢ８,９の出射端面は、図２(ｂ)に示すように円形状を有し、カラーＣＣＤ１０の撮像面(撮像領域)の中心線に対して線対称に配置されている。そして、各ＬＣＢ８,９の出射端面の前方には、各ＬＣＢ８,９から出射された照明光を広げる配光レンズ１１,１２が設けられている。
【００２５】
また、図１に示すように、カラーＣＣＤ１０は、挿入部４の先端部内に設けられている。カラーＣＣＤ１０の撮像領域は、各ＬＣＢ８,９の出射端面と平行に設けられている。カラーＣＣＤ１０の前方には、撮影対象の像をカラーＣＣＤ１０の撮像領域にて結像させる対物レンズ１３が配置されている。そして、カラーＣＣＤ１０は、信号線１４,１５を介してコネクタ７内に設けられた信号処理回路１６の入力端子と接続されている。
【００２６】
本実施形態では、カラーＣＣＤ１０の撮像領域の中心線を境としたＬＣＢ８側の領域(各画素)が、テレビモニタ３の画面の向かって右側に表示される画像を撮影し、ＬＣＢ９側の領域(各画素)がテレビモニタ３の向かって左側に表示される画像を撮影する。また、カラーＣＣＤ１０の各画素は、撮影対象が近距離に存する場合には、ＬＣＢ８の出射端面に近いものほどＬＣＢ８から出射される照明光の照明領域及び照度の影響を受け、ＬＣＢ９の出射端面に近いものほどＬＣＢ９から出射される照明光の照明領域及び照度の影響を受ける。
【００２７】
信号処理回路１６は、その入力端子から入力されたカラーＣＣＤ１０の出力信号に必要な処理を施し、輝度信号(Ｙ信号)と２つの色差信号(Ｒ−Ｙ信号及びＢ−Ｙ信号)とをその出力端子から出力する。
〈光源装置兼ビデオプロセッサ〉
光源装置兼ビデオプロセッサ２の内部には、各ＬＣＢ８,９の入射端面に対向する位置に、キセノンランプを用いた光源ランプ１７が配置されている。この光源ランプ１７には、ランプ用電源１８から発せられた電力がランプ用線材１９を介して供給される。光源ランプ１７は、照明光として一定の光量の白色平行光(光束ＬＦ)を各ＬＣＢ８,９の入射端面へ向けて射出する。この光束ＬＦの光軸ＯＡは、各ＬＣＢ８,９の入射端面で形成される一つの円形端面(図２(ａ)参照)の中心を通過するようになっている。
【００２８】
光源ランプ１７と各ＬＣＢ８,９の入射端面との間には、光源ランプ１７から発せられた光束ＬＦを集光するコンデンサレンズ２０が配置されている。このコンデンサレンズ２０によって、光束ＬＦは、収束しながら各ＬＣＢ８,９の入射端面に入射する。
【００２９】
コンデンサレンズ２０と光源ランプ１７との間には、絞り装置２１が配置されている。絞り装置２１は、図１に示したＸ方向と直交する方向(＋Ｙ方向及び−Ｙ方向：図２参照)から光束ＬＦを均等に遮光することによって、各ＬＣＢ８,９の入射端面に入射される照明光の光量を調整する(本発明の光量調整部に相当)。
【００３０】
絞り装置２１と光源ランプ１７との間には、光量配分調整部２２が配置されている。光量配分調整部２２は、図１及び図２中の＋Ｘ方向と−Ｘ方向との何れか一方から光束ＬＦ中に進入し、各ＬＣＢ８,９の入射端面に入射される光量の配分を変更する。これによって、光量配分調整部２２は、ＬＣＢ８又はＬＣＢ９の一方に入射される照明光の光量を低下させ、他方に入射される光量を増加させる。なお、絞り装置２１及び光量配分調整部２２の構成は後述する。
上述した信号処理回路１６の出力端子は、信号線２３〜２５を介してＡ／Ｄ変換器２６〜２８と接続されている。Ａ／Ｄ変換器２６には、上記したＲ−Ｙ信号が入力され、Ａ／Ｄ変換器２７には、上記したＲ−Ｂ信号が入力され、Ａ／Ｄ変換器２８には、上記したＹ信号が入力される。各Ａ／Ｄ変換器２６〜２８は、入力された信号をアナログ−ディジタル変換する。
【００３１】
各Ａ／Ｄ変換器２６〜２８は、信号線を介してメモリ部２９と接続されており、
メモリ部２９は、Ａ／Ｄ変換器２６〜２８から入力されるＲ−Ｙ，Ｒ−Ｂ,及びＹの各ディジタル信号についてフリーズ，補間等の処理を施す。
【００３２】
メモリ部２９は、信号線を介してＤ／Ａ変換器３０〜３２と接続されている。Ｄ／Ａ変換器３０〜３２は、メモリ部２９から入力されるＲ−Ｙ，Ｒ−Ｂ,及びＹの各ディジタル信号をアナログ信号に変換する。
【００３３】
各Ｄ／Ａ変換器３０〜３２は、信号線を介して信号処理部３３と接続されている。信号処理部３３は、各Ｄ／Ａ変換器３０〜３２から入力されるＲ−Ｙ信号，Ｒ−Ｂ信号，及びＹ信号からアナログＲＧＢ信号(同期信号を含む)を生成し、テレビモニタ３に供給する。これによって、テレビモニタ３には、カラーＣＣＤ１０によって撮影された撮影対象のＲＧＢ信号に基づく画像(映像)が表示される。
【００３４】
また、上述した信号線２５には、信号線３４が接続されている。信号線３４は、調光回路３５に接続されており、信号処理回路１６から出力されたＹ信号を調光回路３５に入力する。調光回路３５は、システムコントロール部３６と信号線３７を介して接続されている。システムコントロール部３６は、照明光全体の調光用の基準電圧Ｖrefを信号線３７を介して調光回路３５に入力する。
【００３５】
調光回路３５は、自身に入力されたＹ信号と基準電圧Ｖrefとを用いて制御信号αを生成し、この制御信号αをもって絞り装置２１を制御する。また、調光回路３５は、自身に入力されたＹ信号を用いて制御信号βを生成し、この制御信号βをもって光量配分調整部２２を制御する。なお、この調光回路３５の詳細は後述する。
〔絞り装置の構成〕
図３(ａ)は、図１に示した絞り装置２１の構成図であり、図３(ａ)及び図３(ｂ)は、絞り装置２１をコンデンサレンズ２０側から見た図である。図３(ａ)に示すように、絞り装置２１は、減光部４０と、回転軸４１と、回転機構４２と、モータ４３とからなる。
【００３６】
図３(ａ)に示すように、減光部４０は、同一の長方形の平面形状を有する平行平板状の遮光板４０ａ,４０ｂの側縁同士を連結板４０ｃで連結したコの字状に形成されている。遮光板４０ａと遮光板４０ｂとは平行に配置され、これらの中心軸線は同一直線上に存するようになっている。連結板４０ｃも長方形の平面形状を有する平行平板状に形成されている。
【００３７】
回転軸４１は、連結板４０ｃの中心軸と同軸で連結板４０ｃに固着されている。これによって、減光部４０は回転軸４１と同軸で回転する。回転機構４２は、モータ４３と接続されており、モータ４３の駆動に連動して回転軸４１を回転させる。モータ４３は、図１に示した調光回路３５から制御信号αを受け取るようになっており、この制御信号αに応じた動力を回転機構４２に与える。
【００３８】
図３(ｂ)に示すように、絞り装置２１は、その回転軸４１が図１に示した光束ＬＦの光軸ＯＡと同一平面上に存する状態で配置され、各遮光板４０ａ,４０ｂの中心と光軸ＯＡとの各距離が、減光部４０の回転に拘わらず常に等距離を維持する。絞り装置２１は、図３(ｂ)に示すように、各遮光板４０ａ,４０ｂと光軸ＯＡとが平行な状態を初期状態とし、この初期状態の場合に各ＬＣＢ８,９の入射端面に入射される照明光の光量が最大となる。
【００３９】
その後、モータ４３に制御信号αが与えられ、モータ４３の駆動によって回転軸４１が回転すると、図３(ｃ)に示すように、各遮光板４０ａ,４０ｂは、光束ＬＦをほぼ均等に遮光する。これによって、各ＬＣＢ８,９の入射端面(図１参照)に入射される光量がほぼ均等に減少する。このように、絞り装置２１は、その初期状態からの回転角度の大きさによって、各ＬＣＢ８,９の出射端面から出射される光量を調整する。
〔光量配分調整部の構成〕
図４は、図１に示した光量配分調整部２２の構成図である。図４に示すように、光量配分調整部２２は、光束ＬＦの光軸ＯＡ(光束ＬＦの進行方向)に対して４５゜の角度で光源ランプ１７側に傾いた短冊状の第１ミラー４５ａと、光軸ＯＡに対して４５゜の角度で絞り装置２１側に傾いた短冊状の第２ミラー４５ｂとを有している。第１ミラー４５ａ及び第２ミラー４５ｂの各鏡面は、平面で形成されており、光源ランプ１７に向けられている。これらの第１ミラー４５ａ及び第２ミラー４５ｂが、本発明の第１反射部材に相当する。
【００４０】
第１ミラー４５ａ及び第２ミラー４５ｂは、Ｌ字上のステー４５ｃ,４５ｃを介して一体に形成されている。各ステー４５ｃ,４５ｃは、図２に示したＸ方向に沿って配置され、その各一端(＋Ｘ側の端部)が第１ミラー４５ａの光軸ＯＡに沿った側縁に連結され、その各他端(−Ｘ側の端部)が第２ミラー４５ｂの光軸ＯＡに沿った側縁に連結されている。
【００４１】
ステー４５ｃの一方は、図示せぬ支持部材によって支持されている。また、ステー４５ｃの一方の外側面にはラック４６が刻まれており、このラック４６と噛み合いながら回転するピニオン４７が設けられている。ピニオン４７からは回転軸４８が延出しており、回転軸４８は回転機構４９に接続されている。そして、回転機構４９は、モータ５０に接続されている。
【００４２】
モータ５０は、図１に示した調光回路３５から制御信号βを受け取る。すると、モータ５０は、この制御信号βに従った動力を回転機構４９に与え、回転機構４９は、回転軸４８を回転させる。すると、ピニオン４７がラック４６と噛み合いながら回転する。これによって、第１ミラー４５ａと第２ミラー４５ｂとが＋Ｘ方向又は−Ｘ方向へ一体的に移動可能となっている。
【００４３】
図５は、光量配分調整部２２を側方から見た図であり、図６は、光量配分調整部２２を光源ランプ１７側から見た図である。図５(ａ)に示すように、光量配分調整部２２は、さらに、第１ミラー４５ａと組をなす第３ミラー４５ｄと、第２ミラー４５ｂと組をなす第４ミラー４５ｅとを有している。
【００４４】
第３ミラー４５ｄは、第１ミラー４５ａの光束ＬＦに対する進入方向(−Ｘ方向)において、光束ＬＦ外に固定して配置されている。第３ミラー４５ｄの鏡面は、平面で形成されており、第１ミラー４５ａの鏡面と向かい合って平行に配置されている。また、第４ミラー４５ｅは、第２ミラー４５ｂの光束ＬＦに対する進入方向(＋Ｘ方向)において、光束ＬＦ外に固定して配置されている。第４ミラー４５ｅの鏡面は、平面で形成されており、第２ミラー４５ｂの鏡面と向かい合って平行に配置されている。これらの第３ミラー４５ｄ及び第４ミラー４５ｅが、本発明の第２反射部材に相当する。
【００４５】
図５(ａ)及び図６(ａ)には、カラーＣＣＤ１０の各領域(ＬＣＢ８側の領域及びＬＣＢ９側の領域)の受光量がほぼ均等な場合における光量配分調整部２２が示されている。この場合には、光源ランプ１７から発せられた光束ＬＦは、第１ミラー４５ａ及び第２ミラー４５ｂと接触することなくステー４５ｃ,４５ｃの間を通過し、ほぼ等しい光量配分で各ＬＣＢ８,９の入射端面に入射される。これは、例えば反射率が一様な平面状の撮影対象を等距離から照明した場合における状態である。この状態を光量配分調整部２２の初期状態とする。
図５(ｂ)及び図６(ｂ)には、ＬＣＢ８側の領域の受光量がＬＣＢ９側の領域の受光量よりも多くなった場合における光量配分調整部２２が示されている。この場合には、第１ミラー４５ａ及び第２ミラー４５ｂが−Ｘ方向に移動し、第１ミラー４５ａが光束ＬＦに＋Ｘ方向から進入し、第２ミラー４５ｂが光束ＬＦ外に退避した状態となる。
【００４６】
すると、第１ミラー４５ａは、光束ＬＦのＬＣＢ８に入射されるべき領域の光束ＬＦの端部を含む一部(図５(ｂ)網掛け部分参照)を、４５°の角度で−Ｘ方向へ向けて反射する。続いて、第３ミラー４５ｄが、第１ミラー４５ａによる反射光を４５°の角度で絞り装置２１側へ反射する。この結果、第３ミラー４５ｄの反射光(図５(ｂ)斜線部分参照)は、光源ランプ１７から出射された照明光(直接光)と進行方向を同じくする平行光となり、絞り装置２１及びコンデンサレンズ２０を経てＬＣＢ９の入射端面に入射する。
【００４７】
これによって、ＬＣＢ８に入射される照明光の光量が減少するとともに、ＬＣＢ９に入射される照明光の光量が増加する。即ち、光源ランプ１７から発せられた照明光の光量が、ＬＣＢ８よりもＬＣＢ９に多く配分される。従って、ＬＣＢ８側の領域の受光量が低下する。一方、ＬＣＢ９から出射される照明光の光量が増加するので、ＬＣＢ９からの照明光によって照明される撮影対象の照度が上昇し、ＬＣＢ９側の領域の受光量が上昇する。これによって、ＬＣＢ８側の領域の受光量とＬＣＢ９側の領域の受光量とが均等化の方向へ向かう。
【００４８】
一方、図５(ｃ)及び図６(ｃ)には、ＬＣＢ９側の領域の受光量がＬＣＢ８側の領域の受光量よりも多くなった場合における光量配分調整部２２が示されている。この場合には、第１ミラー４５ａ及び第２ミラー４５ｂが＋Ｘ方向に移動し、第２ミラー４５ｂが光束ＬＦに−Ｘ方向から進入し、且つ第１ミラー４５ａが光束ＬＦ外から退避した状態となる。
【００４９】
すると、第２ミラー４５ｂは、光束ＬＦのＬＣＢ９に入射されるべき領域の光束ＬＦの端部を含む一部(図５(ｃ)網掛け部分参照)を、４５°の角度で＋Ｘ方向へ向けて反射する。続いて、第４ミラー４５ｅが、第２ミラー４５ｂによる反射光を４５°の角度で絞り装置２１側へ反射する。この結果、第４ミラー４５ｅの反射光(図５(ｃ)斜線部分参照)は、光源ランプ１７から出射された照明光(直接光)と進行方向を同じくする平行光となり、絞り装置２１及びコンデンサレンズ２０を経てＬＣＢ８の入射端面に入射する。
【００５０】
これによって、ＬＣＢ９に入射される照明光の光量が減少するとともに、ＬＣＢ８に入射される照明光の光量が増加する。即ち、光源ランプ１７から発せられた照明光の光量が、ＬＣＢ９よりもＬＣＢ８に多く配分される。従って、ＬＣＢ９側の領域の受光量が低下する。一方、ＬＣＢ８から出射される照明光の光量が増加するので、ＬＣＢ８からの照明光によって照明される撮影対象の照度が上昇し、ＬＣＢ８側の領域の受光量が上昇する。これによって、ＬＣＢ８側の領域の受光量とＬＣＢ９側の領域の受光量とが均等化の方向へ向かう。
【００５１】
このように、光量配分調整部２２は、ＬＣＢ８とＬＣＢ９との何れか一方に入射されるべき光束ＬＦの一部を平行移動させ、平行移動した光をＬＣＢ８とＬＣＢ９との何れか他方に入射させることによって、光源ランプ１７から発せられた照明光の光量配分を変更する。
〔調光回路の構成〕
図７は、図１に示した調光回路３５の構成図である。図７に示すように、調光回路１７は、上述した絞り装置２１を制御する光量制御部５２と、光量配分調整部２２を制御する光量配分制御部５３とからなる。
〈光量制御部〉
光量制御部５２は、アンプ５４と、検波回路５５と、差動増幅器５６と、モータドライバ５７とからなる。アンプ５４の入力端子は、図１に示した信号線３４と接続されており、アンプ５４の出力端子は、検波回路５５の入力端子と接続されている。検波回路５５の出力端子は、差動増幅器５６の反転入力端子と接続されており、差動増幅器５６の非反転入力端子は、図１に示した信号線３７と接続されている。差動増幅器５６の出力端子は、モータドライバ５７の入力端子に接続されている。モータドライバ５７は、その出力端子から上記した制御信号αを出力し、制御信号αは、図３に示した絞り装置２１のモータ４３に与えられる。
【００５２】
アンプ５４には、信号線３４からＹ信号(輝度信号)が入力される。図８(ａ)にアンプ５４への入力信号波形を示す。アンプ５４は、自身に入力されたＹ信号を増幅し、検波回路５５へ向けて出力する。検波回路５５は、アンプ５４から入力された輝度信号を積分することによって、輝度信号の平均電圧レベルを示す信号を出力する。図８(ｂ)に検波回路５５の出力信号波形を示す。差動増幅器５６は、検波回路５５から入力された信号と信号線３７から入力された基準電圧Ｖrefとの差分電圧を増幅して出力する。
【００５３】
モータドライバ５７は、差動増幅器５６から入力された差分電圧信号が正である間(Ｙ信号の平均電圧レベルが基準電圧Ｖrefを上回る間)、各ＬＣＢ８,９の入射端面に入射される光量(撮影対象を照明する光量全体)が多すぎるものとして、絞り装置２１を閉じるための制御信号αをモータ４３に与える。これによって、図３(ｃ)に示すように、遮光部４０が遮光板４０ａ,４０ｂによって光束ＬＦを遮光する方向に回転し、各ＬＣＢ８,９の入射端面に入射される光量を減少させる。
【００５４】
一方、モータドライバ５７は、差動増幅器５６から入力された差分電圧信号が負である間(Ｙ信号の平均電圧レベルが基準電圧Ｖrefを下回る間)、各ＬＣＢ８,９の入射端面に入射される光量が不足しているものとして、絞り装置２１を開くための制御信号αをモータ４３に与える。これによって、図３(ｂ)に示すように、遮光部４０が初期状態に戻る方向に回転し、各ＬＣＢ８,９の入射端面に入射される光量を増加させる。
【００５５】
このように、モータドライバ５７は、差動増幅器５６から入力される信号に基づく制御信号αをモータ４３に与え、差動増幅器５６からの差分電圧信号が零となるように、絞り装置２１をフィードバック制御する(図８(ｃ)参照)。以上の構成によって、光量制御部５２は、絞り装置２１を制御し、各ＬＣＢ８,９に入射される光量を均等に調整する。
〈光量配分制御部〉
図７に示すように、光量配分制御部５３は、信号除去回路５９,６０と、アンプ６１,６２と、検波回路６３,６４と、差動増幅器６５と、モータドライバ６７とからなる。各信号除去回路５９,６０の入力端子は、信号線３４と接続されている。信号除去回路５９の出力端子は、アンプ６１の入力端子と接続されており、信号除去回路６０の出力端子は、アンプ６２の入力端子と接続されている。アンプ６１の出力端子は、検波回路６３の入力端子と接続されており、アンプ６１の出力端子は、検波回路６４の入力端子と接続されている。
【００５６】
また、検波回路６３の出力端子は、差動増幅器６５の反転入力端子と接続されており、検波回路６４の出力端子は、差動増幅器６５の非反転入力端子と接続されている。差動増幅器６５の出力端子は、積分回路６６の入力端子に接続されており、積分回路６６の出力端子は、モータドライバ６７の入力端子に接続されている。モータドライバ６７は、その出力端子から上述した制御信号βを出力し、制御信号βは、図４に示した光量配分調整部２２のモータ５０に与えられる。
【００５７】
各信号除去回路５９,６０には、Ｙ信号が入力される。図９(ａ)に各信号除去回路５９,６０への入力信号波形を示す。図９(ａ)に示すＹ信号の一周期のうち、前半部分は、ＬＣＢ９側の領域によって得られた輝度(受光量)を示し、後半部分は、ＬＣＢ８側の領域によって得られた輝度(受光量)を示す。
【００５８】
信号除去回路５９は、入力されたＹ信号の一周期のうちの後半部分を除去した信号(ＬＣＢ８側の領域の輝度を示す信号)をアンプ６１に入力する。図９(ｂ)に信号除去回路５９の出力信号波形を示す。一方、信号除去回路６０は、入力されたＹ信号の一周期のうちの前半部分を除去した信号(ＬＣＢ９側の領域の輝度を示す信号)をアンプ６２に入力する。図９(ｃ)に信号除去回路５９の出力信号波形を示す。
【００５９】
アンプ６１は、信号除去回路５９の出力信号を増幅し、検波回路６３に入力する。一方、アンプ６２は、信号除去回路６０の出力信号を増幅し、検波回路６４に入力する。検波回路６３は、アンプ６１の出力信号を積分した信号を差動増幅器６５に入力する。図９(ｄ)に検波回路６３の出力信号波形を示す。一方、検波回路６４は、アンプ６２の出力信号を積分した信号を差動増幅器６５に入力する。図９(ｄ)に検波回路６４の出力信号波形を示す。差動増幅器６５は、検波回路６３の出力信号と検波回路６４の出力信号との差分(ＬＣＢ９側の輝度とＬＣＢ８側の輝度との差分)を増幅し、積分回路６６に入力する。図９(ｅ)に差動増幅器６５の出力信号波形を示す。積分回路６６は、差動増幅器６５の出力信号を積分することによって、ＬＣＢ９側の輝度とＬＣＢ８側の輝度との差分の平均電圧レベルを示す差動増幅信号をモータドライバ６７に入力する。図９(ｆ)に積分回路６６の出力信号波形を示す。
モータドライバ６７は、積分回路６６から入力された信号が負である間(ＬＣＢ８側の輝度がＬＣＢ９側の輝度を上回る間)、ＬＣＢ８(右側のライトガイド)に入射される光量が多すぎるものとして、ＬＣＢ８に入射される光量を減少するための制御信号βを、図４に示すモータ５０に与える。すると、モータ５０の駆動によってピニオン４７が回転し、第１ミラー４５ａが光束ＬＦ中へ＋Ｘ方向から進入する。これによって、図５(ｂ)及び図６(ｂ)に示すように、光束ＬＦの一部が、第１,第３ミラー４５ａ,４５ｃによって、−Ｘ方向へ平行移動する。この結果、ＬＣＢ８に入射される光量が減少するとともに、ＬＣＢ９に入射される光量が増加する。
【００６０】
一方、モータドライバ６７は、積分回路６６から入力された差動増幅信号が正である間(ＬＣＢ９側の領域の輝度がＬＣＢ８側の領域の輝度を上回る間)、ＬＣＢ９(左側のライトガイド)に入射される光量が多すぎるものとして、ＬＣＢ９に入射される光量を減少するための制御信号βをモータ５０に与える。すると、モータ５０の駆動によってピニオン４７が回転し、第２ミラー４５ｂが光束ＬＦ中へ−Ｘ方向から進入する。これによって、図５(ｃ)及び図６(ｃ)に示すように、光束ＬＦの一部が、第２,第４ミラー４５ｂ,４５ｅによって、＋Ｘ方向へ平行移動する。この結果、ＬＣＢ９に入射される光量が減少するとともに、ＬＣＢ８に入射される光量が増加する。
【００６１】
このように、モータドライバ６７は、積分回路６６から入力される差動増幅信号に基づく制御信号部βをモータ５０に与え、積分回路６６からの差動増幅信号が零となるように、光量配分調整部２２をフィードバック制御する(図９(ｇ)参照)。
【００６２】
以上の構成によって、光量配分制御部５３は、ＬＣＢ８側の領域の輝度がＬＣＢ９側の領域の輝度よりも高い場合には、光量配分調整部２２を動作させて、ＬＣＢ８に入射されるべき照明光をＬＣＢ９に入射させる。一方、ＬＣＢ９側の領域の輝度がＬＣＢ８側の領域の輝度よりも高い場合には、ＬＣＢ９に入射されるべき照明光をＬＣＢ８に入射させる。
【００６３】
このようにして、光量配分制御部５３は、ＬＣＢ８側の領域の輝度(受光量)とＬＣＢ９側の領域の輝度(受光量)との均等化を図る。そして、両者の輝度の均等化が図られた場合(両者の差分が零となった場合)には、信号処理回路１６からの出力信号波形が、図９(ｈ)に示すように、信号の前半部分と後半部分とがほぼ均等となる。
〔電子内視鏡装置の動作〕
次に、上述した電子内視鏡装置の動作を説明する。ここでは、例として消化管内に図１に示した電子内視鏡１の挿入部４が挿入されている場合の動作を説明する。前提として、光源装置兼ビデオプロセッサ２及びテレビモニタ３の電源は投入され、絞り装置２１が図３(ｃ)に示す状態にあり、且つ光量配分調整部２２が上述した初期状態にあるものとする。
【００６４】
図１に示した光源装置兼ビデオプロセッサ２の電源が投入されると、ランプ用電源１８から光源ランプ１７に電力が供給される。すると、光源ランプ１７が、各ＬＣＢ８,９の入射端面へ向けて照明光(光束ＬＦ)を発する。このとき、光量配分調整部２２が初期状態にあるので、光束ＬＦは各第１,第２ミラー４５ａ,４５ｂと接触することなく光量配分調整部２２を通過する(図５(ａ)参照)。
【００６５】
一方、絞り装置２１は光束ＬＦを絞る状態にあるので、光束ＬＦはその一部を遮光板４０ａ,４０ｂによって均等に遮光されつつ絞り装置２１を通過する(図３(ｃ)参照)。その後、光束ＬＦは、コンデンサレンズ２０に入射し、収束しながら各ＬＣＢ８,９の入射端面に入射される。
【００６６】
各ＬＣＢ８,９に入射した照明光は、その出射端面から出射され、配光レンズ１１,１２を介して撮影対象を照明する。すると、カラーＣＣＤ１０が、対物レンズ１３によって結像された撮影対象の像を撮影する。このとき、カラーＣＣＤ１０のＬＣＢ９側の領域が撮影対象の近接部(例えば、消化管壁)を撮影し、ＬＣＢ８側の領域が遠景部(例えば、消化管の奥の様子(管空))を撮影していたとする。
【００６７】
この場合、近接部には照明光が強く当たり、遠景部には照明光が殆ど届かないので、ＬＣＢ９側の領域が、撮影対象からの光をＬＣＢ８側の領域よりも多く受光する。このため、ＬＣＢ９側の領域によって得られるＹ信号は、ＬＣＢ８側の領域によって得られるＹ信号よりも高くなる(図８(ａ),図９(ａ)参照)。このようなＹ信号が、カラーＣＣＤ１０から出力され、信号線１５を介して信号処理回路１６に入力される。
【００６８】
すると、信号処理回路１６は、Ｒ−Ｙ信号，Ｂ−Ｙ信号，及びＹ信号を生成し出力する。これらの信号は、各Ａ／Ｄ変換器２６〜２８,メモリ部２９,Ｄ／Ａ変換器３０〜３２,信号処理部３３による処理を経ることによって、アナログＲＧＢ信号に変換され、テレビモニタ３に供給される。このとき、テレビモニタ３の画面に表示される近接部の画像は、照明光が強く当たったことによりハレーションが生じたものとなる。一方、遠景部の画像は、照度不足によって黒くつぶれたものとなる。即ち、近接部と遠景部とでコントラストの高い画像となる。
一方、信号処理回路１６から出力されたＹ信号は、調光回路３５の光量制御部５２及び光量配分制御部５３(図７参照)に入力される。すると、光量制御部５２は、図７に示した構成によって、カラーＣＣＤ１０の撮像領域の全体から得られるＹ信号に基づいて絞り装置２１を制御する。このとき、光量制御部５２は、輝度にＬＣＢ８側とＬＣＢ９側とで偏りがあってもその平均電圧レベルが基準電圧Ｖrefとほぼ等しい(差分が零)である場合には、適正な光量として絞り装置２１を動作させない。
【００６９】
これに対し、光量配分制御部５２では、積分回路６６から正の信号が出力されるので、モータドライバ６７が、ＬＣＢ８に入射すべき照明光をＬＣＢ９に入射させるための制御信号βを光量配分調整部２２に与える。すると、モータ５０,回転機構４９,回転軸４８及びピニオン４７(図４参照)の動作によって、第２ミラー４５ｂが＋Ｘ方向に移動し、第２,第４ミラー４５ｂ,４５ｅが、光束ＬＦの一部を＋Ｘ方向に平行移動させる(図５(ｃ)参照)。
【００７０】
これによって、ＬＣＢ９に入射される光量が低下するとともに、ＬＣＢ８に入射される光量が増加する。従って、ＬＣＢ８から出射される照明光の光量が増加し、ＬＣＢ８側の領域の受光量が増加する。一方、ＬＣＢ９から出射される照明光の光量が減少し、ＬＣＢ９側の領域の受光量が減少する。
【００７１】
この後、光量配分制御部５３のフィードバック制御によって、第２ミラー４５ｂの＋Ｘ方向への移動が継続される。そして、カラーＣＣＤ１０から出力されるＹ信号が、ＬＣＢ８側の領域とＬＣＢ９側の領域とで殆ど変わらない状態となった場合には、光量配分制御部５３が第２ミラー４５ｂを停止させる。
【００７２】
このようにして、テレビモニタ３の画面に表示される近接部の画像からハレーションが除去され、且つコントラストの安定化が図られる。一方、各ＬＣＢ８,９から出射される光量の総計はほとんど変わらないので、例えばＬＣＢ９に入射される照明光の一部を遮光する場合に比べ、画面全体が明るく表示される。
【００７３】
もっとも、ＬＣＢ９に入射されるべき照明光がＬＣＢ８に割り当てられることによって、カラーＣＣＤ１０の撮像領域全体の輝度の平均レベルが低下する。このため、テレビモニタ３の画面は適正と呼ばれるにはやや暗いものとなる。即ち、カラーＣＣＤ１０から出力されるＹ信号の平均電圧レベルが基準電圧Ｖrefを下回る。
【００７４】
すると、光量制御部５２が、Ｙ信号の平均電圧レベルが基準電圧Ｖrefとほぼ等しくなるまで、絞り装置２１を初期状態に戻す方向に回転させる。これによって、各ＬＣＢ８,９に入射される光量がほぼ均等に増加する。従って、カラーＣＣＤ１０から出力されるＹ信号が、基準電圧Ｖrefとほぼ等しい平均電圧レベルを持ち、且つＬＣＢ８側の領域の輝度とＬＣＢ９側の領域の輝度との差分がほぼ零となる。これによって、テレビモニタ３には、ハレーションの発生が抑えられ、全体として明るく、且つコントラストが安定した撮影対象の画像が表示される。
〔実施形態１の作用〕
上述したように、実施形態１による電子内視鏡装置によると、ＬＣＢ８側の領域の輝度(受光量)とＬＣＢ９側の領域の輝度(受光量)との間に差が生じた場合には、光量配分制御部５３が、輝度が高い方のＬＣＢに入射されるべき照明光の一部を輝度が低い方のＬＣＢに入射させる。これによって、ＬＣＢ８側の領域の輝度とＬＣＢ９側の領域の輝度との平均化が図られ、ハレーションの除去及びコントラストの安定化が図られる。
【００７５】
そして、ＬＣＢ８,９の何れか一方に供給される照明光を他方に供給することによって、カラーＣＣＤ１０全体の輝度レベルが低下した場合には、光量制御部５２及び絞り装置２１が各ＬＣＢ８,９への光量を均等に増加させる。このため、明るくコントラストが一様に安定した画像がテレビモニタ３に表示される。従って、電子内視鏡装置の使用者(例えば、医師)が、電子内視鏡装置によって得られる画像(映像)を快適に利用することができる。
【００７６】
また、実施形態１によれば、ＬＣＢ８,９の何れか一方に供給される照明光を他方に割り当てるので、光源ランプ１７から発せられる照明光を無駄にしない。従って、定格の低い低コストなランプを光源ランプ１７として使用することが可能である。
【００７７】
また、実施形態１によれば、第１,第３ミラー４５ａ,４５ｃ(第２,第４ミラー４５ｂ,４５ｅ)による反射光は、光源ランプ１７から出射された照明光の平行光となるので、反射光の光路として必要な空間が小さくて済むとともに、反射光を適正にＬＣＢに入射させることができる。
【００７８】
また、実施形態１によれば、ＬＣＢ９へ入射すべき照明光をＬＣＢ８へ入射させる第１,第３ミラー４５ａ,４５ｃの組と、ＬＣＢ８へ入射すべき照明光をＬＣＢ９へ入射させる第２,第４ミラー４５ｂ,４５ｅの組とが設けられているので、ＬＣＢ８側の領域の受光量とＬＣＢ９側の領域の受光量との不均衡を、照明光の光量の損失なく迅速に解消することができる。
〔実施形態２〕
図１０は、本発明の実施形態２による電子内視鏡装置の構成図である。実施形態２による電子内視鏡装置は、モノクロＣＣＤ７０を用い、いわゆる面順次方式によって撮影対象の色情報を取得する。即ち、図１０に示すように、コンデンサレンズ２０と各ＬＣＢ８,９との間の照明光の光路上に、ＲＧＢ回転フィルタ７１が挿入されている。このＲＧＢ回転フィルタ７１は、モータ７２によって回転するようになっており、これによって、各ＬＣＢ８,９の入射端面には、所定時間毎に、赤色(Ｒ)光，緑色(Ｇ)光，青色(Ｂ)光が入射される。
【００７９】
これによって、モノクロＣＣＤ７０は、Ｒを示す輝度信号，Ｇを示す輝度信号，Ｂを示す輝度信号を時系列で並べた信号(「時系列のＲＧＢ信号」と称する)を出力する。この時系列のＲＧＢ信号は、信号処理回路１６，信号線２５，及びＡ／Ｄを経てメモリ部２９に入力される。メモリ部２９は、自身に入力された信号についてフリーズや補間等の処理を施した後、各Ｄ／Ａ変換器３０〜３２へＲ信号，Ｇ信号，及びＢ信号を入力する。その後、Ｒ信号，Ｇ信号，Ｂ信号はディジタル／アナログ変換され、信号処理部３３にて必要な処理が施された後、テレビモニタ３に供給される。これによって、テレビモニタ３の画面には、ＲＧＢ信号に基づく画像(映像)が表示される。
【００８０】
また、調整回路３５の光量制御部５２及び光量配分制御部５３は、図７に示した構成と同じ構成を有する。但し、光量制御部５２及び光量配分制御部５３には、Ｙ信号に代えて上記した時系列のＲＧＢ信号が入力される(図１３(ａ)及び図１４(ａ)参照)。光量制御部５２及び光量配分制御部５３は、自身に入力された時系列のＲＧＢ信号を用い、実施形態１と同様の処理によって、絞り装置２１及び光量配分調整部２２を制御する(図１１及び図１２参照)。以上説明した点を除き、実施形態２の構成及び作用は、実施形態１と同様である。この実施形態２は、実施形態１とほぼ同じ効果を奏する。
【００８１】
【発明の効果】
本発明による電子内視鏡装置及び電子内視鏡用光源装置によれば、撮像素子の撮像領域に反射率の高い部分と反射率の低い部分とが同時に入る場合に、画像にハレーションが発生することを防止し、又は発生したハレーションを除去することができる。さらに、明るくコントラストが安定した画像を得ることができる。
【図面の簡単な説明】
【図１】本発明の実施形態１による電子内視鏡装置の構成図
【図２】図１に示したカラーＣＣＤ及びＬＣＢの説明図
【図３】図１に示した絞り装置の構成図
【図４】図１に示した光量配分調整部の構成図
【図５】図４に示した光量配分調整部の動作説明図
【図６】図４に示した光量配分調整部の動作説明図
【図７】図１に示した調光回路の構成図
【図８】図７に示した光量制御部における出力信号波形図
【図９】図７に示した光量配分制御部における出力信号波形図
【図１０】本発明の実施形態２による電子内視鏡装置の構成図
【図１１】実施形態２による光量制御部における出力信号波形図
【図１２】実施形態２による光量配分制御部における出力信号波形図
【符号の説明】
１      電子内視鏡(内視鏡)
２      光源装置兼ビデオプロセッサ(電子内視鏡用光源装置)
８      ＬＣＢ(第１ライトガイド)
９      ＬＣＢ(第２ライトガイド)
１０    カラーＣＣＤ(撮像素子)
１７    光源ランプ(光源)
２１    絞り装置(光量調整部)
２２    光量配分調整部
４５ａ  第１ミラー(第１反射部材)
４５ｂ  第２ミラー(第１反射部材)
４５ｄ  第３ミラー(第２反射部材)
４５ｅ  第４ミラー(第２反射部材)
５２    光量制御部
５３    光量配分制御部(輝度検出部)
７０    モノクロＣＣＤ(撮像素子)
【図１】
0004014726.tif 000002
【図２】
0004014726.tif 000003
【図３】
0004014726.tif 000004
【図４】
0004014726.tif 000005
【図５】
0004014726.tif 000006
【図６】
0004014726.tif 000007
【図７】
0004014726.tif 000008
【図８】
0004014726.tif 000009
【図９】
0004014726.tif 000010
【図１０】
0004014726.tif 000011
【図１１】
0004014726.tif 000012
【図１２】
0004014726.tif 000013